(57)【要約】 【課題】    本発明は、指輪等のリング状装飾品やこれに類する装飾品に管理タグや値札類を紐等で取り付けた上で、この管理タグ類をディスプレイ上見えない位置におくことができ、更には必要時においてはその管理タグ類を見ることのできる展示用の保持具の提供を課題とする。【解決手段】  係る課題を解決するため、リング状装飾体１の一部を収納する切れ目の一側面又は両側面に弾性部材を有し、リング装飾体の一部を切れ目に挿入することによって弾性部材でこれを保持すると共に、切れ目には保持具内部に繋がるタグ収納空間を有し、リング状装飾体に連設するタグを該空間内に収納した上、タグの一部を前記弾性部材で係止して収納する保持具を提供するものである。【選択図】    図１
2008173154.tif 000002
【特許請求の範囲】
【請求項１】
リング状装飾体１の一部を収納する切れ目２１と、
該切れ目２１の一側面又は両側面に弾性部材２２を有し、
リング装飾体１の一部を切れ目２１に挿入することによって弾性部材２２で保持する保持具２であり、
切れ目２１には保持具２内部に繋がるタグ収納空間２０を有し、
リング状装飾体１に連設するタグ３を該タグ収納空間２０内に収納すると共に該タグ３の一部を弾性部材２２で係止して該タグ収納空間２０内にタグ３を収納するものであることを特徴とする保持具。
【請求項２】
リング装飾体１に代えて装飾体に用いることを特徴とする請求項１記載の保持具。
【請求項３】
弾性部材２２のタグ収納空間２０内部端部から底部までの長さがタグ３の長さよりも短いものであることを特徴とする請求項１又は２のいずれかに記載の保持具。
【請求項４】
保持具２に２以上の切れ目２１を有し、それぞれの切れ目２１に弾性部材２２を有し、それぞれの切れ目２１に繋がるタグ収納空間２０が連通した内部空洞からなることを特徴とする請求項１乃至３のいずれかに記載の保持具。
【請求項５】
保持具２に２以上の切れ目２１を有し、それぞれの切れ目２１に弾性部材２２を有し、それぞれの切れ目２１に繋がるタグ収納空間２０をそれぞれ独立して構成したことを特徴とする請求項１乃至３のいずれかに記載の保持具。
【発明の詳細な説明】
【技術分野】
【０００１】
本発明は、リング状装飾体の保持具であって、特にリング状装飾体に紐状物でつなげる値札ラベルや商品説明ラベルからなるタグ類を体裁よく収納できるリング状装飾体の保持具に関する。
【背景技術】
【０００２】
従来より、指輪等の販売に際しての展示用ディスプレイやケースにおいて、該指輪類を見栄えよく展示するための保持具としては例えば平板や皿の上にフェルトやサテン或いは布などを敷設した上に載置し、指輪を見栄えよく展示するものである。
この他例えば台に切れ目を入れてこの切れ目に指輪を挟んで展示するものもある。
或いは展示に限らずこの指輪を持ち運んで展示する際や運搬時において、同様にケースに切れ込みを入れてこの切れ込み部分に指輪をはさんで載置するものもある。
【０００３】
更には、例えば特開平８−２１５００６号（特許文献１）が存在する。
この構成はリング状装飾品を保持するためヒンジを介して折曲係合する成型体に保持部する弾性部材からなる保持成型品からなる。
この他、特開平１１−２３５２２２号（特許文献２）も存在し、指輪挟持部に指輪を挟持する構造ガ明示されている。
【０００４】
更に特開２００３−３１０３２８号（特許文献３）には、着色半透明軟質プラスチックのパイプを透明プラスチック板上に並列に連接状態で固定して形成した展示収納具が明示されている。
これらのほか、特開平６−３０４０１５号（特許文献４）には、指輪台に貫通溝部を有し、指輪のリング部に通された紐にストッパー片が取り付けられ、このストッパー片を貫通溝部内を通して裏側に配置する構成が明示されている。  
【特許文献１】特開平８−２１５００６号
【特許文献２】特開平１１−２３５２２２号
【特許文献３】特開２００３−３１０３２８号
【特許文献４】特開平６−３０４０１５号
【発明の開示】
【発明が解決しようとする課題】
【０００５】
以上の様に、指輪等の展示用ディスプレイやケースに関しては、各種のものが存在しているが、まず台に切れ目を入れてこの切れ目に指輪を挟んで展示する構成は、指輪などのリングにつけた管理タグ類がどうしても外に出てしまうものであり、極めて見栄えが悪いものである。
もとより台に載置する構成であっても同様にタグ類は同様に台の上に載っており、見栄えはよくないものである。
【０００６】
このタグ類は値札として使用するばかりでなくその他管理用のタグ類もあり、例えばプラスチック等で作られており、紐等で結び付けられているものである。
従って、見た目の印象が非常に重要な指輪などのリングにおいて、どうしてもイメージダウンに繋がってしまうものであり、何らかの解決が求められているものである。
次に特許文献１に関しては、指輪などのリングを体裁よく挟むことはできるが、管理タグは特になくすことはできず、該リング自体の取り外し時を考慮するとどうしても該リング状装飾体に紐などで取り付けることが必要となるものであり、該保持具に取り付けた場合にはどうしても外部から視認しうるものとなってしまう。
【０００７】
更に特許文献２及び特許文献３のいずれにしても前記と同様の欠点を有するものである。
次に特許文献４に関しては、貫通溝部を通したストッパー片を有する構成であり、リングに紐などで結んだストッパー部材は裏側に配置されることから該ストッパー部材は見えないものである。
しかし、そもそもこの構成はリングが収納ケースから外れないようにするものであり、ストッパー片は裏側に位置して取り外せない構造である。
【０００８】
この様に構成するとストッパー片に代えて管理タグや値札を使用しても、管理タグや値札が取り出せず、そもそも管理タグや値札等の役を果たさないものとなる様な構成はこれらを使用する際には用いることのできないものである。
以上のように、管理タグや値札類を指輪などのリング状装飾品やこれに類する装飾品に紐などで取り付けた際に、この管理タグ類などをディスプレイ上見えない位置におくことができ、更には必要時においてはその管理タグ類を見ることのできる何らかの保持具が望まれているものである。
【課題を解決するための手段】
【０００９】
係るため、本発明に係る保持具は、装飾体を有効に保持できると共に装飾体に連接したタグ類をディスプレイ段階においては収納して外部からの視認を防止でき、装飾体をディスプレイから取り出した際にはタグを有効に視認可能とする保持具の提供を課題とするものであって、係るため請求項１に係る発明はリング状装飾体の一部を収納する切れ目と、該切れ目の一側面又は両側面に弾性部材を有し、リング装飾体の一部を切れ目に挿入することによって弾性部材で保持する保持具であり、切れ目には保持具内部に繋がるタグ収納空間を有し、リング状装飾体に連設するタグを該タグ収納空間内に収納すると共に該タグの一部を弾性部材で係止して該タグ収納空間内にタグを収納する保持具からなり、係る発明によって前記課題を解決できる。
【００１０】
又、請求項２に係る発明に示すようにリング装飾体に代えて装飾体に用いるものであってもよい。
これらの場合請求項３に係る発明の様に弾性部材のタグ収納空間内部端部から底部までの長さがタグの長さよりも短いものである保持具を用いてもよい。
更に、請求項４に係る発明に示すように保持具に２以上の切れ目を有し、それぞれの切れ目に弾性部材を有し、それぞれの切れ目に繋がるタグ収納空間が連通した内部空洞からなる保持具であっても、或いは請求項５に係る発明に示すように保持具に２以上の切れ目を有し、それぞれの切れ目に弾性部材を有し、それぞれの切れ目に繋がるタグ収納空間をそれぞれ独立して構成した保持具であってもよい。
【発明の効果】
【００１１】
以上のように構成したことからまず請求項１に係る発明によって、リング状装飾体の提示ディスプレイを見栄え欲行えると共に、該切れ目内にタグ類を挿入して隠すことができる。
更に、挿入して隠したタグ類は弾性部材によって係止されていることから、リング状装飾体の引き抜きに伴って空間内から外部に引き出すことが可能である。
従って空間内に引っかかってしまって出なくなることを防止できる。
これによって展示時点ではタグ類は収納空間内に入っており、見栄えのよい展示ができ、更にはこのリング状装飾体を引き出すことによって、簡単にタグ類も引き出すことが可能となり、タグの本来の目的を発揮することもできる。
【００１２】
次に請求項２に係る発明によって、単に指輪などのリング状の装飾体に限らず各種 展示ディスプレイすることのできる装飾体にも用いることが可能である。
更に請求項３に係る発明によれば、収納空間の内部の深さがタグよりも短い長さであれば、タグ挿入時に不用意に収納空間内に落とし込んでしまうようなことは防止できるものであり、タグが引っかかって装飾体の取り外しができなくなるようなことは防げるものである。
又請求項４及び請求項５に係る発明によればそれぞれ多数の装飾体を一の保持具に展示収納できるものであり、各種の構造の保持具の提供を可能とする。
【発明を実施するための最良の形態】
【００１３】
図１は、本発明に係るリング状装飾体１の保持具２の一例を示す図である。  本図に示すようにリング状装飾体１を挿入可能な切れ目２１を有するものであって、該切れ目２１にリング状装飾体１と共にタグ３を挿入することによって、ディスプレイ時には指輪等１だけが飾られた状態となり、このリング状装飾体１を抜き取るとタグ３もリング状装飾体１の引き抜きに伴って紐状部材４などによって引き抜かれるものである。
この場合切れ目２１の内部にはその両側に弾性部材２２例えばクッション部材を有しており、このクッション部材等によってリング状部材１が弾性を持って押さえられると共にタグ３も抑える事ができる。
【００１４】
この場合、該保持具２には内部に空洞からなる空間２０を有しておりこの部分にリング状部材１の一部と共にタグ部分３も内部に収納されるものである。
したがって、少なくとも収納時にタグ３が外部に表出されないように弾性部材２２の位置からタグ収納空間の底部２３までの長さ内にタグ３が収納可能な大きさの空間を有するものであることが必要である。
更に、この場合タグ部分３だけが内部空間２０に落ちてしまわないように少なくともタグ３の長手方向の長さよりも、弾性部材２２例えばクッション部材の内部端から底部までの深さが少ないものであることが望ましい。
【００１５】
これによって弾性部材２２を越えて挿入した場合でもタグ３のみが落ちてしまうことを防げる。
もとより該タグ３の一部を弾性部材２２で弾圧状態で係止して該タグ収納空間２０内にタグ３を収納するものであれば、この部分でタグを係止できるものである。
そもそも弾性部材２２例えばクッション部材によってリング状部材１と共にタグ３も押さえられることから、不用意に内部空間に落ちとしまうことはない。
したがって、タグ３よりも長い深さのタグ収納空間即ち内部空間２０を有する構成から成るものであってももちろんよい。
【００１６】
尚、本図に示すリング状部材１は指輪などが該当するが、これに限らずタグ３をつけた上で保持具２でディスプレイすべき各種装飾品例えばタイピンやブレスレッド或いはネックレスなどを一部に挟み込むことによって保持する装飾用の保持具２に使用するものであってももちろんよい。
本明細書上、これらのタイピンやネックレス、ブレスレット、イヤリングなど保持公庄でディスプレイすると共にタグ類を連結するリング形状に限らない各種装飾体に関して装飾体と明示して説明する。
【００１７】
弾性部材２２に関しては、両側からリング状装飾体１その他の装飾体などを押さえられる弾性を有するものであっても、或いは一方のみに弾性部材を有するものであってもよい。
例えばクッションやスポンジ或いは弾力を有する布製又は紙製部材或いは軟質の樹脂製部材などであれば全て弾性部材に該当する。
更に切れ目２１の内側面全体に弾性部材を有するものに限らず側面の一部に弾性部材を 有するものであっても良い。
【００１８】
図２は図１の保持具の断面図を示す図である。
本図に示すように本保持具２は、切れ目２１を有すると共に該切れ目２１の両側に弾性部材２２を有しており、該弾性部材２２によってリング状装飾体１が一部を外部に表出した状態でディスプレイされて、保持されている。
更に、該リング状部材１と紐４などで連接しているタグ３に関しては、該切れ目２１から保持具２本体内の空洞２０に差し込まれており、その一端を弾性部材２２で挟まれた状態で、内部に納まっている。
したがって、外部から視認できるのはリング状部材１だけであり、タグ３などを隠すことができ見栄えを高めることができる。
【００１９】
更にリング状装飾体１を該弾性部材２２から抜き出すことによって、それに連設しているタグ部分３の一緒に引き出され、タグ３の表示を読み取ることもできることとなる。
したがって必要時にはタグ３を見ることができる反面保持具２にディスプレイ中には保持具２の内部空間２０に収めておくことを可能とする。
尚、本図に示す保持具２は、タグ３を収納すべきタグ収納空間を内部空間２０として有していると共に該内部空間２０はそれぞれの切れ目２１と繋がっており、複数の切れ目２１に対して一の連通する内部空間からなるタグ収納空間２０を有する構成の一例を示す。
【００２０】
図３は、保持具２の他の一例を示す図である。
本図に示す構成は、それぞれの切れ目２１ごとに内部空間２０を有しており、該切れ目２１の上部方向には弾性部材２２を有しており、そのまま内部にはリング状部材１の収納部分と共にタグ３などを収納するためのタグ収納空間２０を有している。
以上の様に２以上の切れ目２１を有すると共に、それぞれの切れ目２１に弾性部材２２を有しているものであって、それぞれの切れ目２１に繋がるタグ収納空間２０はそれぞれ独立して有しているものである。
この様に構成した場合でも有効にタグ３を収納でき、更には装飾体１を抜き出した際には一緒にタグ類３を引き出せるものとなる。
【００２１】
これにより、ディスプレイに際してはタグ類３を内部に収納して展示できる。
更には装飾体１の保持具２への装着やタグ３の収納も容易であると共に該装飾体１の取り外しも簡単であって、タグ３を簡単に取り出すことができる。
この場合タグ収納空間２０は少なくとも収納時にタグ３を収納できる内部空間２０を有しておればよいものである。
【図面の簡単な説明】
【００２２】
【図１】本発明に係る保持具の一例を示す図
【図２】図１の保持具の一部断面端面図
【図３】本発明に係る保持具の他の一例の一部断面端面図
【符号の説明】
【００２３】
１    リング状装飾体
２    保持具
２０  空間
２１  切れ目
２２  弾性部材
３    タグ
４    紐状部材
【図１】
2008173154.tif 000003
【図２】
2008173154.tif 000004
【図３】
2008173154.tif 000005